(57)【特許請求の範囲】
【請求項１】
揮散性薬剤を内部に収容する容器体と、
装置本体に設置され、前記容器体に前記装置本体の振動を伝達する球体を有し前記容器体を支持する支持体と、を備え、
前記容器体が前記支持体に対して移動可能に支持されている、
ことを特徴とする香り発生装置。
【請求項２】
前記支持体が、一端に開口部を有して形成され前記球体を保持する第１保持部と、前記第１保持部に相対して一端に開口部を有して形成され前記球体を保持する第２保持部を有し、前記第１保持部と前記第２保持部の間に前記球体が移動可能に載置されている、
ことを特徴とする請求項１に記載の香り発生装置。
【請求項３】
前記第１保持部が、前記第１保持部に載置された前記球体を取り囲むように前記球体の中心を通る水平線よりも深く形成された凹形状である、
ことを特徴とする請求項２に記載の香り発生装置。
【請求項４】
前記第１保持部の開口部が前記第２保持部の開口部よりも平面視狭く形成されている、
ことを特徴とする請求項２又は３に記載の香り発生装置。
【請求項５】
前記第２保持部が、前記開口部が前記第１保持部を取り囲むように前記第１保持部の開口部の上端よりも深く形成された凹形状である、
ことを特徴とする請求項２ないし４のいずれか１項に記載の香り発生装置。
【請求項６】
前記容器体の外面と前記装置本体の相対する壁面との間隙が、前記球体の直径よりも小さい、
ことを特徴とする請求項１ないし５のいずれか１項に記載の香り発生装置。
【請求項７】
揮散性薬剤を内部に収容する容器体と、
装置本体に設置され、前記容器体に対して水平方向に伸びる円筒状のシャフトと前記シャフトの外径よりも大径で前記シャフトが挿通される貫通孔を有する保持部を有し前記容器体を支持する支持体と、を備え、
前記容器体が前記支持体に対して移動可能に支持されている、
ことを特徴とする香り発生装置。
【請求項８】
前記支持体が、前記容器体の水平方向の移動を制限する規制部材を有する、
ことを特徴とする請求項７に記載の香り発生装置。
【請求項９】
前記揮散性薬剤が、揮散性物質を保持するゲル成形体である、
ことを特徴とする請求項１ないし８のいずれか１項に記載の香り発生装置。
【請求項１０】
前記装置本体が、機内で発生する熱を前記装置本体に設けた排気手段で機外へ排出する画像形成装置である、
ことを特徴とする請求項１ないし９のいずれか１項に記載の香り発生装置。
【発明の詳細な説明】
【技術分野】
【０００１】
本発明は、香り発生装置に関する。
【背景技術】
【０００２】
装置内の気体を外部に強制排気するファンと、処理中に装置内で発生するオゾンの濃度を低減するためのフィルタと、排気用の排気口とを備えた電子写真式の画像形成装置の排気方式において、ファンと排気口との間に芳香剤を有する画像形成装置の排気方式が知られている（特許文献１）。
収容した薬剤を容器体に開設された揮散孔から揮散する芳香剤において、容器体の外周面に弾性体を突出させた状態で設け、容器体をドアポケットに収容した状態でドアポケットの内側面に弾性体が当接するように構成した芳香剤も知られている（特許文献２）。  
【先行技術文献】
【特許文献】
【０００３】
【特許文献１】特開平２−２７５９６９号公報
【特許文献２】特開２０１４−５０４９１号公報
【発明の概要】
【発明が解決しようとする課題】
【０００４】
香料成分を含むゲル体は、自然揮発のみで香りを発生させる場合には、十分な強度の香りを提供することができない虞があった。
本発明は、ゲル体の香料成分の揮発を促進させ、周辺環境へ一定した強度の香りを効率的に提供する香り発生装置を提供することを目的とする。
【課題を解決するための手段】
【０００５】
前記課題を解決するために、請求項１に記載の香り発生装置は、
揮散性薬剤を内部に収容する容器体と、
装置本体に設置され、前記容器体に前記装置本体の振動を伝達する球体を有し前記容器体を支持する支持体と、を備え、
前記容器体が前記支持体に対して移動可能に支持されている、
ことを特徴とする。
【０００７】
請求項２に記載の発明は、請求項１に記載の香り発生装置において、
前記支持体が、一端に開口部を有して形成され前記球体を保持する第１保持部と、前記第１保持部に相対して一端に開口部を有して形成され前記球体を保持する第２保持部を有し、前記第１保持部と前記第２保持部の間に前記球体が移動可能に載置されている、
ことを特徴とする。
【０００９】
請求項３記載の発明は、請求項２に記載の香り発生装置において、
前記第１保持部が、前記第１保持部に載置された前記球体を取り囲むように前記球体の中心を通る水平線よりも深く形成された凹形状である、
ことを特徴とする。
【００１０】
請求項４記載の発明は、請求項２又は３に記載の香り発生装置において、
前記第１保持部の開口部が前記第２保持部の開口部よりも平面視狭く形成されている、
ことを特徴とする。
【００１１】
請求項５記載の発明は、請求項２ないし４のいずれか１項に記載の香り発生装置において、
前記第２保持部が、前記開口部が前記第１保持部を取り囲むように前記第１保持部の開口部の上端よりも深く形成された凹形状である、
ことを特徴とする。
【００１２】
請求項６に記載の発明は、請求項１ないし５のいずれか１項に記載の香り発生装置において、
前記容器体の外面と前記装置本体の相対する壁面との間隙が、前記球体の直径よりも小さい、
ことを特徴とする。
【００１３】
前記課題を解決するために、請求項７に記載の香り発生装置は、
揮散性薬剤を内部に収容する容器体と、
装置本体に設置され、前記容器体に対して水平方向に伸びる円筒状のシャフトと前記シャフトの外径よりも大径で前記シャフトが挿通される貫通孔を有する保持部を有し前記容器体を支持する支持体と、を備え、
前記容器体が前記支持体に対して移動可能に支持されている、
ことを特徴とする。
【００１４】
請求項８記載の発明は、請求項７に記載の香り発生装置において、
前記支持体が、前記容器体の水平方向の移動を制限する規制部材を有する、
ことを特徴とする。
【００１６】
請求項９記載の発明は、請求項１ないし８のいずれか１項に記載の香り発生装置において、
前記揮散性薬剤が、揮散性物質を保持するゲル成形体である、
ことを特徴とする。
【００１７】
請求項１０記載の発明は、請求項１ないし９のいずれか１項に記載の香り発生装置において、
前記装置本体が、機内で発生する熱を前記装置本体に設けた排気手段で機外へ排出する画像形成装置である、
ことを特徴とする。
【発明の効果】
【００１８】
請求項１に記載の発明によれば、装置本体の振動を効率よく容器体に伝達し、ゲル体の香料成分の揮発を促進させることができる。
請求項２に記載の発明によれば、装置本体の振動を効率よく容器体に伝達することができる。
請求項３ないし６に記載の発明によれば、容器体の支持体からの脱落を抑制することができる。
請求項７に記載の発明によれば、装置本体の振動を効率よく容器体に伝達することができる。
請求項８に記載の発明によれば、容器体の支持体からの脱落を抑制することができる。
請求項９に記載の発明によれば、揮散性物質がゲル成形体でない場合に比して、運搬、保存、取り扱いを容易に行うことができる。
請求項１０に記載の発明によれば、香り発生装置が設置された画像形成装置の利用者を含む周辺環境へ安定した濃度で香りを提供することができる。
【図面の簡単な説明】
【００１９】
【図１】（ａ）は香り発生装置１の１つの構成を示す斜視図、（ｂ）は縦断面図である。
【図２】香り発生装置１の開閉機構の構成を示す断面模式図である。
【図３】（ａ）は香り発生装置１の他の構成を示す斜視図、（ｂ）は縦断面図である。
【図４】変形例に係る香り発生装置１Ａの縦断面図である。
【図５】変形例に係る香り発生装置１Ａの縦断面図である
【図６】変形例に係る支持体２０Ａの拡大断面模式図である。
【図７】（ａ）は画像形成装置１００の凹部１２２に香り発生装置１が設置された状態の平面模式図、（ｂ）は縦断面模式図である。
【図８】（ａ）は香り発生装置１Ａの１つの構成を示す斜視図、（ｂ）は縦断面図、図８（ａ）は支持体２０Ａの拡大断面模式図、（ｂ）は変形例に係る支持体２０Ｂの拡大断面模式図である。
【図９】（ａ）は支持体２０Ａの拡大断面模式図、（ｂ）は変形例に係る支持体２０Ｂの拡大断面模式図である。
【図１０】（ａ）は香り発生装置１Ｂの１つの構成を示す縦断面図、（ｂ）は変形例に係る香り発生装置１Ｃの１つの構成を示す縦断面図である。
【図１１】（ａ）は香り発生装置１が設置された画像形成装置１００の斜視図、図９（ｂ）は香り発生装置１Ｂが設置された画像形成装置１００の斜視図、（ｃ）は画像形成装置１００の排気を説明する平面視した部分断面図、（ｄ）は排気側の部分断面図である。
【発明を実施するための形態】
【００２０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２１】
（１）画像形成装置の構成
図１１（ａ）は香り発生装置１が設置された画像形成装置１００の斜視図、（ｂ）は香り発生装置１が設置された画像形成装置１００の斜視図、（ｃ）は画像形成装置１００の排気を説明する平面視した部分断面図、（ｄ）は排気側の部分断面図である。
以下、図面を参照しながら香り発生装置１が設置された装置本体の一例として画像形成装置１００の全体構成と動作について説明する。
【００２２】
図１１（ｃ）、（ｄ）に示すように、画像形成装置１００の背面側の筐体内には排気ファンＦが設けられた通気ダクト１１０が配置されて、画像形成装置１００内の熱せられた空気を画像形成装置１００の外部へ排出する。通気ダクト１１０の空気吸引側となる吸気口１１０Ａは、定着装置（不図示）の側方の上方に位置し、通気ダクト１１０の排気側となる排気口１１０Ｂは、外装カバー１２０側に位置している。
【００２３】
外装カバー１２０には、画像形成装置１００外部と接続するように開口されたルーバ部１２１が形成され、通気ダクト１１０の排気口１１０Ｂと接続している。
図９（ａ）に示すように、外装カバー１２０のルーバ部の外側には凹部１２２が形成され、凹部１２２の底面１２２ａに、香り発生装置１が設置されている。
【００２４】
画像形成装置１００は、動作状態において排気ファンＦが回転すると、画像形成装置１００内部の空気が通気ダクト１１０の吸気口１１０Ａから吸入され、排気口１１０Ｂから外装カバー１２０のルーバ部１２１を介して装置外部へ排気する。
ルーバ部１２１から排気される空気流は、香り発生装置１の上方を流通し、香り発生装置１の内部から揮散した香り成分が空気流の流通方向に拡散する。その結果、画像形成装置１００の利用者を含む周辺環境へ安定した濃度で香りを提供することができる。
【００２５】
「第１実施形態」
（２）香り発生装置の構成
図１（ａ）は香り発生装置１の１つの構成を示す斜視図、（ｂ）は縦断面図、図２は香り発生装置１の開閉機構１５の構成を示す断面模式図、図３（ａ）は香り発生装置１の他の構成を示す斜視図、（ｂ）は縦断面図、図４は支持体２０の拡大断面模式図である。
以下、図面を参照しながら、香り発生装置１の構成ついて説明する。
【００２６】
香り発生装置１は、揮散性薬剤Ｓを内部に収容する容器体１０と、容器体１０を移動可能に支持する支持体２０を備えて構成されている。
【００２７】
（２．１）容器体
容器体１０は、一端側が開口した有底の容器本体１１に、揮散性薬剤Ｓを収容する。開口部１１ａは、蓋体１２と接合され、揮散性薬剤Ｓが収容された容器体１０として密閉されている。
【００２８】
蓋体１２の上面１２ａには、開閉機構１５が設けられている。開閉機構１５は、図２に示すように、開口部１１ａを塞ぐ閉鎖位置（図２（ａ）参照）と互いに離間して開口部１１ａを開放する開放位置（図２（ｂ）参照）とを切り替えるようになっている。
本実施形態では、複数（７枚）のフラップ１６が設けられ、開閉機構１５は、外部に設けられたアクチュエータ（不図示）によって駆動される。
【００２９】
図２（ｂ）に示すように、開閉機構１５は、開放位置では、それぞれのフラップ１６が形成する通気路１７が断面視一定方向に傾斜して停止するように回転が規制されている。その結果、香り発生装置１が設置された状態で蓋体１２の上方を空気流が流通した場合には、通気路１７を介して容器本体１１の内部から揮散した香り成分が空気流の流通方向に拡散する。
【００３０】
図３（ａ）、（ｂ）に示すように、容器体１０は、開閉機構１５を有さない蓋体１２Ａを備えたものであっても良い。蓋体１２Ａは開口部を有する平板上の蓋部材であり、多数の分割された開口部によって構成されている。
図３（ａ）、（ｂ）に一例として示す開口部は格子状に分割された多数の開口からなるが、開口部の分割態様は、これに限らず、円形、長円形、多角形等であってもよい。
容器本体１１と蓋体１２Ａは、揮散性薬剤１０を収容した状態で、接着、溶着、スナップフィット等で接合することができる。
【００３１】
揮散性薬剤Ｓは、揮散性物質を保持し、容器体１０の容器本体１１内に充填されて保持されたゲル成形体である。ゲル成形体に保持される揮散性物質は、ゲル成形体から揮散により蓋体１２の通気路１７を介して外部に放出される物質であり、揮散性の芳香剤、消香剤などが挙げられる。
【００３２】
ゲル成形体は、揮散性物質を溶解して保持するゲルから形成され、ゲル成分としては、ゼラチン、オイルゲル、吸水ポリマー、多官能の酸とポリオールの重縮合ゲル等の公知のゲルが用いられるが、開口部１１ａ側が上下いずれの方向でも使用できるように、形状保持性を有するように形成される。
【００３３】
（２．２）支持体
図１（ｂ）に示すように、支持体２０は、振動伝達部材２５と、振動伝達部材２５を保持する第１保持部２１と、第１保持部２１に相対して振動伝達部材２５を保持する第２保持部とから構成されている。
支持体２０の第１保持部２１は装置本体１０１の上面に固定され、第２保持部２２は容器体１０の底面に固定される。その結果、容器体１０は支持体２０に対して振動伝達部材２５を介して移動可能に支持される。
【００３４】
振動伝達部材２５は、全体が鋼製又は合成樹脂で形成された球体で、容器体１０に装置本体１０１の振動を伝達する。
【００３５】
第１保持部２１は、一端に開口部２１ａを有し、底部２１ｂと周壁部２１ｃで形成された凹部Ｒ１に振動伝達部材２５を移動可能に収容する。
図３に示すように、周壁部２１ｃは、凹部Ｒ１に収容された振動伝達部材２５の中心を通る水平線よりも深く形成されている（図４（ａ）においてｈ１＞ｈ２）。
【００３６】
第２保持部２２は、第１保持部２１に相対して一端に開口部２２ａを有し、底部２２ｂと周壁部２２ｃで形成された凹部Ｒ２に振動伝達部材２５を移動可能に収容する。
第１保持部２１の開口部２１ａに対して第２保持部２２の開口部２２ａは広く形成されている（図４（ａ）においてｗ１＜ｗ２）。
【００３７】
振動伝達部材２５は、第１保持部２１の振動伝達部材２５の中心を通る水平線よりも深く形成された周壁部２１ｃに取り囲まれて載置されているために、装置本体１０１から伝達される振動によって移動しても脱落する虞が抑制されて保持されている。
また、第１保持部２１の開口部２１ａに対して第２保持部２２の開口部２２ａは広く形成されているために、振動伝達部材２５の移動に対して第２保持部２２は大きく移動可能（図４（ｂ）、（ｃ）においてＬ１＜Ｌ２）であり、第１保持部２１内での振動伝達部材２５の移動は制限しながら容器体１０は大きな移動量が確保されている。
【００３８】
その結果、装置本体１０１の振動は支持体２０を介して容器体１０に伝達され、ゲル体の揮散性物質の揮発を促進させることができる。
【００３９】
「変形例」
図５は変形例に係る香り発生装置１Ａの縦断面図、図６は変形例に係る支持体２０Ａの拡大断面模式図である。
香り発生装置１Ａは、支持体２０Ａの第２保持部２２Ａの開口部２２Ａａが第１保持部２１を取り囲むように第１保持部２１の開口部２１ａの上端よりも深く形成されている（図６（ａ）においてｈ３）。
そのために、装置本体１０１から伝達される振動によって、第２保持部２２Ａとともに容器体１０が移動しても、容器体１０が脱落する虞がより抑制されて保持されている。
【００４０】
（２．３）装置本体への設置
図７（ａ）は画像形成装置１００の凹部１２２に香り発生装置１が設置された状態の平面模式図、（ｂ）は縦断面模式図である。
香り発生装置１は、凹部１２２の底面１２２ａに支持体２０を介して設置されている。支持体２０の第１保持部２１は装置本体１０１の凹部１２２の底面１２２ａに固定され、第２保持部２２は容器体１０の底面に固定され、容器体１０は支持体２０に対して振動伝達部材２５を介して移動可能に支持されている。
【００４１】
香り発生装置１は、凹部１２２の側壁面１２２ｃに対して間隙Ｇを保持して設置され、間隙Ｇは振動伝達部材２５の直径Ｄよりも狭く（図７（ａ）においてＧ＜Ｄ）設定される。
その結果、容器体１０が装置本体１０１の振動が振動伝達部材２５を介して伝達されて水平方向に大きく移動する場合に、容器体１０の側面１０ａが凹部１２２の側壁面１２２ｃに先に接触し、第２保持部２２が振動伝達部材２５から脱落する虞が抑制される。
【００４２】
「第２実施形態」
図８（ａ）は香り発生装置１Ａの１つの構成を示す斜視図、（ｂ）は縦断面図、図９（ａ）は支持体２０Ａの拡大断面模式図、（ｂ）は変形例に係る支持体２０Ｂの拡大断面模式図である。
本実施形態の香り発生装置１Ａは、容器体１０がシャフト２１Ａを介して支持体２０Ａに対して、移動可能に支持されている点で第１実施形態に係る香り発生装置１と異なっている。
以下、本実施形態の香り発生装置１Ａの構成について図８、図９を用いて説明するが、第１実施形態に係る香り発生装置１と共通の構成要素には、同一の符号を付し、その詳細な説明は省略する。
【００４３】
香り発生装置１Ａは、支持体２０Ａが、容器体１０に対して水平方向に伸びる円筒状のシャフト２１Ａと、シャフト２１Ａの外径よりも大径の貫通孔２３ａを有する保持部２３を有する。シャフト２１Ａは、両端部が装置本体１０１に対して軸受１０２で支持され、容器体１０はシャフト２１Ａに対して保持部２３を介して移動可能に支持される。
【００４４】
図９（ａ）に示すように、シャフト２１Ａには、全体の外径Ｄ０よりも小径の段部２１Ａａが形成されている。保持部２３には貫通孔２３ａが形成され、貫通孔２３ａの内径Ｄ１は、シャフト２１Ａの段部２１Ａａの外径ｄ１よりも大径（図９（ａ）においてＤ１＞ｄ１）に形成されている。
【００４５】
保持部２３の一端側には容器体１０が固定され、保持部２３のシャフト２１Ａの段部２１Ａａにおける移動量に応じて容器体１０が装置本体１０１に移動可能に支持されている。尚、保持部２３は、容器体１０の容器本体１１と一体として形成されても良い。
また、水平方向の移動に対しては、シャフト２１Ａの段部２１Ａａの幅方向の幅ｗ３の範囲内で規制される。
【００４６】
「変形例」
図９（ｂ）は変形例に係る支持体２０Ｂの拡大断面模式図である。
支持体２０Ｂは、容器体１０に対して水平方向に伸びる円筒状のシャフト２１Ｂと、シャフト２１Ｂの外径よりも大径の貫通孔２４ａを有する保持部２４を有する。シャフト２１Ｂは、両端部が装置本体１０１に対して軸受１０２で支持され、容器体１０はシャフト２１Ｂに対して保持部２４を介して移動可能に支持される。
【００４７】
図９（ｂ）に示すように、シャフト２１Ｂは、全体が軸方向に一様な外径Ｄ０を有する円筒体として形成されている。保持部２４には貫通孔２４ａが形成され、貫通孔２４ａの内径Ｄ２は、シャフト２１Ｂの外径Ｄ０よりも大径（図９（ｂ）においてＤ２＞Ｄ０）に形成されている。
【００４８】
保持部２４の両外側にはシャフト２１Ｂに対して貫通孔２４ａの内径Ｄ２よりも大径の規制部材２４Ｂが固定され、容器体１０の水平方向の移動を制限している。
【００４９】
支持体２０Ａ、２０Ｂによれば、容器体１０は、シャフト２１Ａ、２１Ｂに対してシャフト外径よりも大径の貫通孔２３ａ、２４ａを有する保持部２３、２４に支持されているために、シャフト外径と貫通孔内径との径差に応じて移動可能であり、かつ、シャフト２１Ａ、２１Ｂは保持部２３、２４の貫通孔２３ａ、２４ａに挿通されているために、脱落することがない。
【００５０】
「第３実施形態」
図１０（ａ）は香り発生装置１Ｂの１つの構成を示す縦断面図である。
本実施形態の香り発生装置１Ｂは、振動伝達部材２５Ａが、容器体１０と装置本体１０１の共振を利用して装置本体１０１の振動を増幅して容器体１０に伝達する点で第１実施形態に係る香り発生装置１と異なっている。
以下、本実施形態の香り発生装置１Ａの構成について図９を用いて説明するが、第１実施形態に係る香り発生装置１と共通の構成要素には、同一の符号を付し、その詳細な説明は省略する。
【００５１】
香り発生装置１Ｂは、振動伝達部材２５Ａが、バネ体２５Ａａと、粘性減衰要素２５Ａｂから構成されている。
バネ体２５Ａａは、バネ定数Ｋを有し、支持する容器体１０の質量に応じて個別に決定される。また、振動伝達部材２５Ａは、粘性減衰要素２５Ａｂをバネ体２５Ａａと並列に備え、減衰比が選択されて、装置本体１０１の振動が増幅されて伝達される。
【００５２】
本実施形態に係る香り発生装置１Ｂによれば、容器体１０の質量に応じて、バネ体２５Ａａのバネ定数Ｋと粘性減衰要素２５Ａｂの減衰比を選択することで、装置本体１０１の僅かな振動であっても、容器体１０に適切な振幅の振動を伝達して、ゲル体の揮散性物質の揮発を促進させることができる。
【００５３】
「変形例」
図１０（ｂ）は変形例に係る香り発生装置１Ｃの１つの構成を示す縦断面図である。
香り発生装置１Ｃは、容器体１０Ａが、下端開口部を有し、内部に揮散性薬剤Ｓを収容した状態で下端開口部は通気性シートからなる仕切り膜１３と多数の開口部に分割された保持部材１４で塞がれている。  
容器体１０Ａに収容されたゲル成形体は下面側の保持部材１４に形成された多数の開口部を介して大気に接している。
【００５４】
このように構成された容器体１０Ａは、バネ体２５Ａａと、粘性減衰要素２５Ａｂからなる振動伝達部材２５Ａで装置本体１０１の凹部１２２の上面１２２ｂに下面側の開口を大気と接続するように設置されている（図１１（ｂ）参照）。
バネ体２５Ａａのバネ定数Ｋは、支持する容器体１０Ａの質量に応じて個別に決定され、伝達される増幅倍率に応じて粘性減衰要素２５Ａｂの減衰比が選択されて、装置本体１０１の振動が増幅されて伝達される。
【００５５】
容器体１０Ａのゲル成形体は、ゲル成形体の自重によって下面側の開口部へ垂下し、大気と接触して揮散性物質が揮散する面積の増加が抑制され、揮散性物質の揮散効率の変化が抑制されている。
係る状態で、振動伝達部材２５Ａを介して、装置本体１０１の振動が増幅されて伝達されて、ゲル体の揮散性物質の揮発を促進させることができる。
【符号の説明】
【００５６】
１、１Ａ、１Ｂ、１Ｃ・・・香り発生装置
１０、１０Ａ・・・容器体
１１・・・容器本体
１２、１２Ａ・・・蓋体
１３・・・仕切り膜
１４・・・保持部材
１５・・・開閉機構
２０、２０Ａ、２０Ｂ・・・支持体
２１・・・第１保持部
２１Ａ、２１Ｂ・・・シャフト
２２、２２Ａ・・・第２保持部
２３、２４・・・保持部
２４Ｂ・・・規制部材
２５、２５Ａ・・・振動伝達部材
１００・・・画像形成装置
１０１・・・装置本体
１１０・・・通気ダクト
１２０・・・外装カバー
１２１・・・ルーバ部
１２２・・・凹部
Ｆ・・・排気ファン
【図１】
0006492800.tif 000002
【図２】
0006492800.tif 000003
【図３】
0006492800.tif 000004
【図４】
0006492800.tif 000005
【図５】
0006492800.tif 000006
【図６】
0006492800.tif 000007
【図７】
0006492800.tif 000008
【図８】
0006492800.tif 000009
【図９】
0006492800.tif 000010
【図１０】
0006492800.tif 000011
【図１１】
0006492800.tif 000012